(57)【特許請求の範囲】
【請求項１】
音声と画像とを記録可能な情報処理装置において、
被写体の画像を記録する画像記録手段と、
音声を記録する音声記録手段と、
半押し状態と全押し状態との操作状態を備える撮影スイッチと、
前記撮影スイッチの操作状態を検出する検出手段と、
前記音声の記録中にユーザの所定の操作による音声の記録の停止が可能な第１の設定モードと、前記音声の記録中にユーザの所定の操作よる音声の記録を停止させない第２の設定モードを設定する設定手段と、
前記設定手段により、前記第１の設定モードが設定されている場合に、前記音声記録手段が音声を記録しているときに、前記検出手段により前記撮影スイッチの半押し状態を検出した場合には、前記音声記録手段による音声の記録を停止させて、前記画像記録手段による画像記録を実行させずに電子ビューファインダーモードに移行し、前記検出手段により前記撮影スイッチの全押し情報を検出した場合には、前記音声記録手段による音声の記録を停止させるとともに、前記画像記録手段による画像記録を実行させるよう制御する制御手段と
を備えることを特徴とする情報処理装置。
【請求項２】
前記制御手段により、前記音声記録手段の音声の記録が停止された後に、前記検出手段が検出した操作状態に応じて、撮影された前記被写体の画像を継続的に表示装置に表示させる第１の動作モードから、その時点において光学系から入力されている被写体の画像を表示装置に表示させる第２の動作モードに移行する
ことを特徴とする請求項１に記載の情報処理装置。
【請求項３】
音声と画像とを記録可能であり、半押し状態と全押し状態との操作状態を備える撮影スイッチを備える情報処理装置の情報処理方法において、
前記音声の記録中にユーザの所定の操作による音声の記録の停止が可能な第１の設定モードと、前記音声の記録中にユーザの所定の操作よる音声の記録を停止させない第２の設定モードを設定し、
被写体の画像を記録し、
音声を記録し、
前記撮影スイッチの操作状態を検出し、
前記第１の設定モードが設定されている場合であり、音声を記録しているときに、前記撮影スイッチの半押し状態を検出した場合には、音声の記録を停止させて、画像記録を実行させずに電子ビューファインダーモードに移行し、前記撮影スイッチの全押し情報を検出した場合には、音声の記録を停止させるとともに、画像記録を実行させるよう制御する
ことを特徴とする情報処理方法。
【請求項４】
音声と画像とを記録可能であり、半押し状態と全押し状態との操作状態を備える撮影スイッチを備える情報処理装置の制御プログラムを記録する記録媒体において、
前記音声の記録中にユーザの所定の操作による音声の記録の停止が可能な第１の設定モードと、前記音声の記録中にユーザの所定の操作よる音声の記録を停止させない第２の設定モードを設定し、
被写体の画像を記録し、
音声を記録し、
前記撮影スイッチの操作状態を検出し、
前記第１の設定モードが設定されている場合であり、音声を記録しているときに、前記撮影スイッチの半押し状態を検出した場合には、音声の記録を停止させて、画像記録を実行させずに電子ビューファインダーモードに移行し、前記撮影スイッチの全押し情報を検出した場合には、音声の記録を停止させるとともに、画像記録を実行させるよう制御する
制御プログラムを記録する記録媒体。
【発明の詳細な説明】
【０００１】
【発明の属する技術分野】
本発明は、情報処理装置、情報処理方法、および、記録媒体に関し、特に、音声と画像とを記録可能な情報処理装置、情報処理方法、および、記録媒体に関する。
【０００２】
【従来の技術】
半導体の小型化と実装技術の進歩とにより、被写体の画像だけでなく、音声も記録可能な電子カメラが市場に流通されるようになってきた。
【０００３】
【発明が解決しようとする課題】
ところで、画像は空間的な情報であるのに対して、音声は時間的な情報であるので、音声を記録する場合には、記録開始と記録終了を指定する必要がある。例えば、電子カメラにより画像と音声を同時に記録する場合には、画像では、レリーズスイッチが押された時点の被写体の光画像を記録すればよいのに対して、音声では、録音を終了するタイミングを更に指定する必要がある。
【０００４】
そこで、例えば、撮影が実行されると同時に録音を開始し、所定の操作がなされた場合に、録音を終了する構成とすることにより、画像と音声を同時に記録することが可能となる。しかしながら、そのような構成では、撮影を行う度に、録音を終了させるための操作を行わなければならず、そのため、操作が煩雑となるという課題があった。
【０００５】
そのような課題を解決するために、例えば、レリーズスイッチが押された場合には、被写体の光画像を記録するとともに、所定の時間（例えば、１０秒間）だけ録音を行うようにすれば、録音を終了させる操作を行う必要がなくなる。
【０００６】
しかしながら、そのような構成では、撮影を行うと、常に１０秒間だけ録音が行われることになるので、例えば、不測の事態により、録音中に撮影の必要が生じた場合でも、これに対応することができないため、シャッターチャンスを逸することになるという課題もあった。
【０００７】
本発明は、以上のような状況に鑑みてなされたものであり、撮影と同時に録音が行われる電子カメラにおいて、操作を煩雑にすることなく、録音終了のタイミングを簡単に変更することを可能とするものである。
【０００８】
【課題を解決するための手段】
本発明の情報処理装置は、音声と画像とを記録可能な情報処理装置において、被写体の画像を記録する画像記録手段と、音声を記録する音声記録手段と、半押し状態と全押し状態との操作状態を備える撮影スイッチと、前記撮影スイッチの操作状態を検出する検出手段と、前記音声の記録中にユーザの所定の操作による音声の記録の停止が可能な第１の設定モードと、前記音声の記録中にユーザの所定の操作よる音声の記録を停止させない第２の設定モードを設定する設定手段と、前記設定手段により、前記第１の設定モードが設定されている場合に、前記音声記録手段が音声を記録しているときに、前記検出手段により前記撮影スイッチの半押し状態を検出した場合には、前記音声記録手段による音声の記録を停止させて、前記画像記録手段による画像記録を実行させずに電子ビューファインダーモードに移行し、前記検出手段により前記撮影スイッチの全押し情報を検出した場合には、前記音声記録手段による音声の記録を停止させるとともに、前記画像記録手段による画像記録を実行させるよう制御する制御手段とを備えることを特徴とする。
【０００９】
本発明の情報処理方法は、音声と画像とを記録可能であり、半押し状態と全押し状態との操作状態を備える撮影スイッチを備える情報処理装置の情報処理方法において、前記音声の記録中にユーザの所定の操作による音声の記録の停止が可能な第１の設定モードと、前記音声の記録中にユーザの所定の操作よる音声の記録を停止させない第２の設定モードを設定し、被写体の画像を記録し、音声を記録し、前記撮影スイッチの操作状態を検出し、前記第１の設定モードが設定されている場合であり、音声を記録しているときに、前記撮影スイッチの半押し状態を検出した場合には、音声の記録を停止させて、画像記録を実行させずに電子ビューファインダーモードに移行し、前記撮影スイッチの全押し情報を検出した場合には、音声の記録を停止させるとともに、画像記録を実行させるよう制御することを特徴とする。
【００１０】
本発明の記録媒体は、音声と画像とを記録可能であり、半押し状態と全押し状態との操作状態を備える撮影スイッチを備える情報処理装置の制御プログラムを記録する記録媒体において、前記音声の記録中にユーザの所定の操作による音声の記録の停止が可能な第１の設定モードと、前記音声の記録中にユーザの所定の操作よる音声の記録を停止させない第２の設定モードを設定し、被写体の画像を記録し、音声を記録し、前記撮影スイッチの操作状態を検出し、前記第１の設定モードが設定されている場合であり、音声を記録しているときに、前記撮影スイッチの半押し状態を検出した場合には、音声の記録を停止させて、画像記録を実行させずに電子ビューファインダーモードに移行し、前記撮影スイッチの全押し情報を検出した場合には、音声の記録を停止させるとともに、画像記録を実行させるよう制御する制御プログラムを記録する。
【００１１】
【発明の実施の形態】
以下、本発明の実施例を図面を参照して説明する。
【００１２】
図１及び図２は、本発明を適用した電子カメラの一実施例の構成を示す斜視図である。本実施例の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００１３】
さらに、面Ｘ１には、ストロボ４を発光させて撮影を行うときに、ストロボ４を発光させる前に発光させて赤目を軽減する赤目軽減ランプ１５、ＣＣＤ２０（図４）の動作を停止させているときに測光を行う測光素子１６、および、ＣＣＤ２０の動作を停止させているときに測色を行う測色素子１７が設けられている。
【００１４】
一方、面Ｘ１に対向する面Ｘ２の上端部（面Ｘ１のファインダ２、操作レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００１５】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１６】
操作キー７は、ＬＣＤ６に記録データを再生表示する場合などに操作されるキーであり、ユーザによる操作（入力）を検知し、ＣＰＵ３９（図６：検出手段、停止手段、移行手段、禁止手段）に供給するようになされている。
【００１７】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００１８】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００１９】
面Ｘ２には、ＬＣＤ６を使用していないときに保護する、しゅう動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００２０】
この電子カメラ１の上面である面Ｚには、音声を集音するマイクロホン８、及び図示せぬイヤホンが接続されるイヤホンジャック９が設けられている。
【００２１】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０及び連写モード切り換えスイッチ１３は、面Ｘ１の上端部に設けられているファインダ２、撮影レンズ３及び発光部４よりも鉛直下側に配置されている。
【００２２】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２３】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２４】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２５】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２６】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２７】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００２８】
ファインダ内表示素子２６は、ファインダ２の視野内に配置され、ファインダ２を介して被写体を視ているユーザに対して、各種機能の設定状態などを表示するようになされている。
【００２９】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００３０】
回路基板２３には、この電子カメラ１の各部を制御する、種々の制御回路が形成されている。また、回路基板２３と、ＬＣＤ６及びバッテリ２１の間には、挿抜可能なメモリカード２４が設けられており、この電子カメラ１に入力される各種の情報が、それぞれ、メモリカード２４の予め設定されている領域に記録される。
【００３１】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００３２】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３３】
なお、本実施例においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００３４】
次に、本実施例の電子カメラ１の内部の電気的構成を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３（画像記録手段）は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００３５】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／デジタル変換回路（以下、Ａ／Ｄ変換回路という）３２は、画像処理部３１でサンプリングした画像信号をデジタル化してＤＳＰ３３に供給するようになされている。
【００３６】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００３７】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００３８】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００３９】
この他、ＤＳＰ３３は、メモリカード２４への記録、伸張後の画像データのバッファメモリ３６への記憶などにおけるデータ入出力のタイミング管理を行うようになされている。
【００４０】
バッファメモリ３６は、メモリカード２４に対するデータの入出力の速度と、ＣＰＵ３９やＤＳＰ３３などにおける処理速度の違いを緩和するために利用される。
【００４１】
マイクロホン８は、音声情報を入力し（音声を集音し）、その音声情報をＡ／ＤおよびＤ／Ａ変換回路４２（音声記録手段）に供給するようになされている。
【００４２】
Ａ／ＤおよびＤ／Ａ変換回路４２は、マイクロホン８により検出された音声に対応するアナログ信号をデジタル信号に変換した後、そのデジタル信号をＣＰＵ３９に出力するとともに、ＣＰＵ３９より供給された音声データをアナログ化し、アナログ化した音声信号をスピーカ５に出力するようになされている。
【００４３】
測光素子１６は、被写体およびその周囲の光量を測定し、その測定結果を測光回路５１に出力するようになされている。
【００４４】
測光回路５１は、測光素子１６より供給された測光結果であるアナログ信号に対して所定の処理を施した後、デジタル信号に変換し、そのデジタル信号をＣＰＵ３９に出力するようになされている。
【００４５】
測色素子１７は、被写体およびその周囲の色温度を測定し、その測定結果を測色回路５２に出力するようになされている。
【００４６】
測色回路５２は、測色素子１７より供給された測色結果であるアナログ信号に対して所定の処理を施した後、デジタル信号に変換し、そのデジタル信号をＣＰＵ３９に出力するようになされている。
【００４７】
タイマ４５は、時計回路を内蔵し、現在の時刻に対応するデータをＣＰＵ３９に出力するようになされている。
【００４８】
絞り駆動回路５３は、絞り５４の開口径を所定の値に設定するようになされている。
【００４９】
絞り５４は、撮影レンズ３とＣＣＤ２０の間に配置され、撮影レンズ３からＣＣＤ２０に入射する光の開口を変更するようになされている。
【００５０】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態（レリーズスイッチ１０が可動範囲の半分程度操作された状態）になるまで、ＣＣＤ２０の動作（例えば電子シャッタ動作）を停止させるようになされている。
【００５１】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５２】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００５３】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００５４】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００５５】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００５６】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００５７】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００５８】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００５９】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６０】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６１】
さらに、ＣＰＵ３９は、ファインダ内表示回路４０を制御して、各種動作における設定などをファインダ内表示素子２６に表示させるようになされている。
【００６２】
ＣＰＵ３９は、インタフェース（Ｉ／Ｆ）４８を介して、所定の外部装置（図示せず）と所定のデータの授受を行うようになされている。
【００６３】
また、ＣＰＵ３９は、操作キー７からの信号を受け取り、適宜処理するようになされている。
【００６４】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００６５】
次に、本実施例の電子カメラ１の各種動作について説明する。最初に、本装置のＬＣＤ６における電子ビューファインダ動作について説明する。
【００６６】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００６７】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００６８】
また、レリーズスイッチ１０が操作された場合、ＣＰＵ３９は、ＣＣＤ２０および絞り駆動回路５３の動作を行わせる。
【００６９】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７０】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７１】
そして、Ａ／Ｄ変換回路３２は、その画像信号（アナログ信号）を、デジタル信号である画像データに変換し、その画像データをＤＳＰ３３に出力する。
【００７２】
ＤＳＰ３３は、その画像データをフレームメモリ３５に出力し、ＬＣＤ６にその画像データに対応する画像を表示させる。
【００７３】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００７４】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００７５】
次に、本装置による被写体の撮影について説明する。
【００７６】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００７７】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態（レリーズスイッチ１０がほぼ最大限度操作された状態）になったとき、被写体の撮影処理を開始させる。
【００７８】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００７９】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００８０】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８１】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８２】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８３】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００８４】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００８５】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００８６】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００８７】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００８８】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８９】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９０】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９１】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００９２】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００９３】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【００９４】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【００９５】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御する。
【００９６】
次に、タッチタブレット６Ａから２次元の情報（ペン入力情報）を入力する場合の動作について説明する。
【００９７】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【００９８】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【００９９】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【０１００】
なお、ユーザは、図示せぬ色選択スイッチを操作することによって、ＬＣＤ６上に表示される線画の色を、黒、白、赤、青等の色から選択することができる。
【０１０１】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【０１０２】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１０３】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【０１０４】
このランレングス法を用いることにより、線画情報を最小に圧縮することができ、また、圧縮された線画情報を伸張した場合においても、情報の欠落を抑制することが可能になる。なお、線画情報は、その情報量が比較的少ない場合には、圧縮しないようにすることもできる。
【０１０５】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１０６】
メモリカード２４の音声記録領域、撮影画像記録領域、または線画情報記録領域にデータを記録した場合、図９に示すように、ＬＣＤ６に所定の表示が行われる。
【０１０７】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１０８】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１０９】
また、メモ記号「＊」は、線画情報として所定のメモが記録されていることを表している。
【０１１０】
サムネイル画像の表示領域の右側には、音声情報バーが表示され、録音時間の長さに対応する長さのバー（線）が表示される（音声情報が入力されていない場合は、表示されない）。
【０１１１】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１１２】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１１３】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１１４】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１１５】
Ｓモードで撮影された画像は、ＬＣＤ６上に、静止画像として表示される。この静止画像は、ＣＣＤ２０の全ての画素の画像信号を再生したものであることはいうまでもない。
【０１１６】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１１７】
通常、人間の目は、静止画像の解像度の劣化に対しては敏感に反応するため、静止画像の画素を間引くことは、ユーザに画質の劣化として捉えられてしまう。
しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１１８】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１１９】
さらに、本実施例においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１２０】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１２１】
本実施例においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１２２】
ところで、本実施の形態においては、撮影と同時に音声を記録することも可能である。次に、そのような場合の動作について説明する。
【０１２３】
図１０は、録音モードを設定する処理の一例を説明するフローチャートである。この処理は、メニューキー７Ａが押圧された場合に実行される。なお、以下の処理では、説明の簡略化のため、ＬＣＤカバー１４は開いた状態とされているものとして説明を行う。
【０１２４】
この処理が実行されると、ステップＳ１において、ＣＰＵ３９は、図１１に示すメニュー画面上において、「SET UP」（セットアップ）が選択されたか否かを判定する。なお、このメニュー画面は、メニューキー７Ａが押圧された場合に、ＬＣＤ６に表示される画面であり、上から順番に「REC」（録音）、「PLAY BACK」（再生）、「SLIDE SHOW」（スライドショー）、および、「SET UP」（セットアップ）が選択項目として表示されている。判定の結果、「SET UP」が選択されていない（ＮＯ）と判定した場合には、ステップＳ１に戻り、「SET UP」が選択されるまで同様の処理を繰り返す。また、「SET UP」が選択された（ＹＥＳ）と判定した場合は、ステップＳ２に進む。
【０１２５】
ステップＳ２では、ＣＰＵ３９は、メモリカード２４から所定の表示用データを読み出し、フレームメモリ３５に書き込むことにより、図１２に示すセットアップ画面をＬＣＤ６に表示させる。そして、ステップＳ３に進む。なお、この表示画面では、「SHOOTING」（撮影）、「SPEED LIGHT」（照明）、「IMAGE QUALITY」（画質）および、「REC CONTROL」（録音制御）が表示されている。
【０１２６】
ステップＳ３では、ＣＰＵ３９は、図１２の設定画面上において、第４番目の設定項目「REC CONTROL」が選択されたか否かを判定する。その結果、第４番目の設定項目が選択されていない（ＮＯ）と判定した場合にはステップＳ３に戻り、第４番目設定項目が選択されるまで同様の処理を繰り返す。また、第４番目の設定項目が選択された（ＹＥＳ）と判定した場合は、ステップＳ４に進む。
【０１２７】
ステップＳ４では、ＣＰＵ３９は、メモリカード２４から所定の表示用データを読み出してフレームメモリ３５に書き込むことにより、図１３に示す録音制御の設定画面（REC CONTROL）画面をＬＣＤ６に表示させる。この表示例では、画面の上部に録音制御の設定画面であることを示す「REC CONTROL」が表示されており、その下には、「ON」および「OFF」が設定内容として表示されている。
【０１２８】
ステップＳ５では、ＣＰＵ３９は、図１３の設定画面において、「ON」または「OFF」の何れかが選択されたか否かを判定する。その結果、「ON」または「OFF」の何れも選択されていない（ＮＯ）と判定した場合には、ステップＳ５に戻り、選択がなされるまで同様の処理を繰り返す。また、「ON」または「OFF」の何れかが選択された（ＹＥＳ）と判定した場合は、ステップＳ６に進む。
【０１２９】
ステップＳ６では、ＣＰＵ３９は、ステップＳ５において選択された設定内容（ONまたはOFF）をメモリカード２４に格納し、処理を終了する（エンド）。
【０１３０】
以上のような処理により、録音制御を「ON」または「OFF」の状態の何れかに設定することが可能となる。なお、この録音制御については、図１４を参照して後述する。
【０１３１】
図１４は、レリーズスイッチ１０が押された場合に実行される撮影処理の一例を説明するフローチャートである。この処理が実行されると、ステップＳ２０において、ＣＰＵ３９は、レリーズスイッチ１０が押圧された（全押し状態とされた）か否かを判定する。その結果、レリーズスイッチ１０が全押し状態とされていない（ＮＯ）と判定した場合には、ステップＳ２０に戻り、レリーズスイッチ１０が全押し状態とされるまで同様の処理を繰り返す。また、レリーズスイッチ１０が全押し状態とされた（ＹＥＳ）と判定した場合には、ステップＳ２１に進む。
【０１３２】
ステップＳ２１では、撮影処理が実行される。即ち、ＣＣＤ２０より入力され、画像処理部３１によりサンプリングされ、更に、Ａ／Ｄ変換回路３２によりディジタル信号に変換された被写体の光画像は、ＬＣＤ６に表示されるとともに、ＤＳＰ３３においてＪＰＥＧ方式に基づくデータ圧縮が施された後、撮影日時のデータが付加されてメモリカード２４の撮影画像記録領域に格納される。
【０１３３】
続くステップＳ２２では、録音処理が実行される。即ち、マイクロホン８に入力された音声は、対応する電気信号に変換され、Ａ／ＤおよびＤ／Ａ変換回路４２に供給されて、そこでディジタル信号に変換された後、メモリカード２４に逐次格納される。
【０１３４】
次のステップＳ２３では、ＣＰＵ３９は、録音処理が開始されたことを示すために、ＬＣＤ６に文字「REC」を表示させる。図１５は、このときにＬＣＤ６に表示される中間調画像の写真の一例である。この表示例では、ＬＣＤ６に撮影された画像が表示されている。また、画面の左上には文字「REC」が表示されており、録音処理を実行中であることを示している。
【０１３５】
図１４に戻って、ステップＳ２４では、ＣＰＵ１０は、録音処理が開始されてから（レリーズスイッチ１０が全押し状態とされてから）１０秒が経過したか否かを判定する。その結果、１０秒が経過した（ＹＥＳ）と判定した場合は、ステップＳ２８に進む。また、１０秒が経過していない（ＮＯ）と判定した場合には、ステップＳ２５に進む。
【０１３６】
ステップＳ２５では、ＣＰＵ３９は、メモリカード２４から図１０のステップＳ６において格納された録音制御の設定情報を読み出し、録音制御がONの状態とされているか否かを判定する。その結果、録音制御がONの状態とされていない（ＮＯ）と判定した場合は、ステップＳ２４に戻り、１０秒が経過するまで前述の場合と同様の処理を繰り返す。また、録音制御がONの状態とされている（ＹＥＳ）と判定した場合には、ステップＳ２６に進む。
【０１３７】
ステップＳ２６では、ＣＰＵ３９は、レリーズスイッチ１０が全押し状態とされているか否かを判定する。その結果、レリーズスイッチ１０が全押し状態とされている（ＹＥＳ）と判定した場合は、ステップＳ３１に進み、ＣＰＵ３９は、録音処理を終了し、ステップＳ３２に進む。ステップＳ３２では、ＣＰＵ３９は、ＬＣＤ６に文字「REC STOP」を所定の時間（例えば、０．５秒）だけ表示させる。図１６は、このときにＬＣＤ６に表示される中間調画像の写真の一例である。この表示例では、ＬＣＤ６に撮影された被写体の画像が表示されている。また、画面の左上には文字「REC STOP」が表示されており、録音処理が終了したことを示している。そして、ステップＳ２１に戻り、前述の場合と同様の処理（新たな被写体の撮影処理）が実行されることになる。
【０１３８】
なお、「REC STOP」を表示する時間は、新たな画像の表示処理の開始が遅れることを防ぐために短めに設定することが望ましいが、例えば、表示時間を多少長めに設定しておき、新たに撮影された画像と重畳して表示するようにしてもよい。そのような方法によれば、表示時間の設定によらず、新たな画像を即座に撮影することが可能となる。
【０１３９】
ステップＳ２６において、レリーズスイッチ１０が全押し状態とされていない（ＮＯ）と判定された場合には、ステップＳ２７に進む。
【０１４０】
ステップＳ２７では、ＣＰＵ３９は、レリーズスイッチ１０が半押し状態とされたか否かを判定する。その結果、レリーズスイッチ１０が半押し状態とされていない（ＮＯ）と判定した場合には、ステップＳ２４に戻り、前述の場合と同様の処理を繰り返す。また、レリーズスイッチ１０が半押し状態とされている（ＹＥＳ）と判定した場合には、ステップＳ２８に進む。
【０１４１】
ステップＳ２８では、ＣＰＵ３９は録音処理を終了し、ステップＳ２９に進む。ステップＳ２９では、ＣＰＵ３９は、図１６に示すように、画面上に「REC STOP」を所定の時間（例えば１秒間）だけ表示させる。
【０１４２】
続くステップＳ３０では、ＣＰＵ３９は、動作モードを電子ビューファインダモードへ移行させる。即ち、ＣＰＵ３９は、所定の時間間隔でＣＣＤ２０を電子シャッタ動作させ、ＣＣＤ２０から出力された信号を画像データに変換し、得られた画像データをフレームメモリ３５に出力して、ＬＣＤ６に被写体の画像を絶えず表示させることで、電子ビューファインダ動作を行う。そして、処理を終了する（エンド）。
【０１４３】
次に、以上のフローチャートの動作を具体例を用いて詳述する。
【０１４４】
いま、レリーズスイッチ１０が押された（全押し状態とされた）とすると、ＣＰＵ３９は、ステップＳ２０においてＹＥＳと判定し、ステップＳ２１に進む。
【０１４５】
ステップＳ２１では、撮影処理が実行され、被写体の画像がＪＰＥＧ規格に基づいて圧縮され、メモリカード２４に記録される。なお、このとき、ＬＣＤ６には、被写体の画像がフリーズされた状態で表示されている。
【０１４６】
そして、ステップＳ２２では録音処理が開始され、続くステップＳ２３において、ＬＣＤ６の左上に「REC」が表示される。その結果、ユーザは、電子カメラ１が録音処理を実行中であることを知ることができる。
【０１４７】
ステップＳ２４では、録音が開始されてから１０秒が経過したか否かが判定される。いま、録音が開始されてからまだ１０秒が経過していないとすると、ステップＳ２４では、ＮＯと判定されてステップＳ２５に進む。
【０１４８】
ステップＳ２５では、録音制御がONの状態であるか否かが判定され、その結果、録音制御がOFFの状態である（ＮＯ）と判定した場合は、ステップＳ２４に戻る。従って、録音制御がOFFの状態とされている場合には、録音処理が開始されてから１０秒が経過するまで録音処理が継続された後、ステップＳ２８以降の処理により、録音処理が終了したことが表示されて、電子ビューファインダモードに移行することになる。一方、録音制御がONの状態とされている場合には、ステップＳ２５においてＹＥＳと判定され、ステップＳ２６に進む。
【０１４９】
ステップＳ２６では、レリーズスイッチ１０が全押し状態とされたか否かが判定される。いま、録音処理中に、ユーザがレリーズスイッチ１０を全押し状態にした場合には、ステップＳ２６においてＹＥＳと判定されて、ステップＳ３１に進み、録音処理が終了された後、ステップＳ３２において、「REC STOP」がＬＣＤ６に表示される。そして、ステップＳ２１に進み、新たな被写体の画像が撮影されることになる。
【０１５０】
ステップＳ２６において、レリーズスイッチ１０が全押し状態とされていない（ＮＯ）と判定した場合は、ステップＳ２７に進む。ステップＳ２７では、レリーズスイッチ２７が半押し状態とされた否かが判定される。
【０１５１】
いま、ユーザがレリーズスイッチ１０を半押し状態とした場合には、ステップＳ２７においてＹＥＳと判定されて、ステップＳ２８に進み、録音処理が終了される。そして、ステップＳ２９において、「REC STOP」がＬＣＤ６上に表示された後、ステップＳ３０において、電子ビューファインダモードへ移行することになる。一方、レリーズスイッチ１０が半押しの状態とされていない場合には、ステップＳ２４に戻り、前述の場合と同様の処理が繰り返される。
【０１５２】
以上の処理によれば、録音制御がOFFの状態とされている場合に撮影が行われると、操作の有無によらず、１０秒間だけ音声の録音処理が実行された後、電子ビューファインダモードに移行することになる。また、録音制御がONの状態とされている場合に撮影が行われたときには、音声の録音処理が開始される。そして、音声が録音されている最中にレリーズスイッチ１０が全押しの状態とされたときには、新たな画像と音声の記録処理が実行される。一方、音声が録音されている最中にレリーズスイッチ１０が半押しの状態とされたときには、録音処理が終了されて電子ビューファインダモードに移行する。更に、録音制御がONの状態とされている場合に撮影が行われ、録音処理中に操作がなされなかった場合には、１０秒間だけ音声を記録して、電子ビューファインダモードへ移行することになる。
【０１５３】
なお、図１０および図１４に示すプログラムは、予めメモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【０１５４】
【発明の効果】
本発明によれば、簡単な操作により録音時間を変更することが可能となるとともに、音声を録音中に不測の事態が生じた場合にも、被写体の画像を即座に撮像することができるので、シャッターチャンスを逸することを防止することが可能となる。
【図面の簡単な説明】
【図１】本発明を適用した電子カメラの一実施例の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】録音モード設定処理の一例を説明するフローチャートである。
【図１１】メニュー画面の表示例である。
【図１２】設定画面の表示例である。
【図１３】録音制御の設定画面の表示例である。
【図１４】撮影処理の一例を説明するフローチャートである。
【図１５】図１４に示すステップＳ２３の処理が実行された場合にＬＣＤ６に表示される中間調画像の写真である。
【図１６】図１４に示すステップＳ３２またはステップＳ２９の処理が実行された場合にＬＣＤ６に表示される中間調画像の写真である。
【符号の説明】
１  電子カメラ
２  ファインダ
３  撮影レンズ
４  発光部
５  スピーカ
６  ＬＣＤ
６Ａ  タッチタブレット
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子
１７  測色素子
２０  ＣＣＤ
２１  バッテリ
２２  コンデンサ
２３  回路基板
２４  メモリカード
２５  ＬＣＤスイッチ
２６  ファインダ内表示素子
３０  レンズ駆動回路
３１  画像処理部
３２  アナログ／デジタル変換回路
３３  デジタルシグナルプロセッサ（ＤＳＰ）（画像記録手段）
３４  ＣＣＤ駆動回路
３５  フレームメモリ
３６  バッファメモリ
３７  ストロボ駆動回路
３８  赤目軽減ランプ駆動回路
３９  ＣＰＵ（検出手段、停止手段、移行手段、禁止手段）
４０  ファインダ内表示回路
４２  Ａ／ＤおよびＤ／Ａ変換回路（音声記録手段）
４５  タイマ
４８  インタフェース
５１  測光回路
５２  測色回路
５３  絞り駆動回路
５４  絞り
【図１】
0004558108.tif 000002
【図２】
0004558108.tif 000003
【図３】
0004558108.tif 000004
【図４】
0004558108.tif 000005
【図５】
0004558108.tif 000006
【図６】
0004558108.tif 000007
【図７】
0004558108.tif 000008
【図８】
0004558108.tif 000009
【図９】
0004558108.tif 000010
【図１０】
0004558108.tif 000011
【図１１】
0004558108.tif 000012
【図１２】
0004558108.tif 000013
【図１３】
0004558108.tif 000014
【図１４】
0004558108.tif 000015
【図１５】
0004558108.tif 000016
【図１６】
0004558108.tif 000017